【手続補正書】
【提出日】平成20年4月21日(2008.4.21)
【手続補正１】
【補正対象書類名】明細書
【補正対象項目名】特許請求の範囲
【補正方法】変更
【補正の内容】
【特許請求の範囲】
【請求項１】  圧縮可能な天井又は壁用構造パネル（５０，９４，１０２，１０８，１３２，１５４，１８４，２００）であって、該構造パネルが、
内面及び外面を有する材料の少なくとも１つの外側シート（５４，５４′，１１６，１３６，１６８，２０４）と、
前記内面に固定され且つ前記内面から突き出ている複数の圧縮可能なデバイダ（５２，５２′，１０５，１１０，１３４，１５２，１７０，１８４，２０８）と、
前記複数のデバイダを前記外側シートから離隔した複数の位置で一体的に固定するためのコネクタ手段（５６，５６′，９６，１３０，１３８，１６６，２０６）と、
前記各デバイダが長手方向に細長いとともに、長手方向に伸長している複数の側方仕切り板（９８，１０４，１２０，１２２，１９２，２１４）及び長手方向に伸長している複数の折り皺線（７４，１０６，１２８，１４０，１４２，１５６，１６０，１７２，１７４，２１６）からなり、これによって、前記外側シート（５４，５４′，１１６，１３６，１６８，２０４）又は前記コネクタ手段（５６，５６′，９６，１３０，１３８，１６６，２０６）に加圧することにより前記複数のデバイダ（５２，５２′，１０５，１１０，１３４，１５２，１７０，１７４，２０８）が前記複数の折り皺線に沿って折り曲げられ圧縮されて前記パネル（５０，９４，１０２，１０８，１３２，１５４，１８２，２００）の厚みを減少するようにしてなることと、
前記各デバイダ（５２，５２′，１０５，１１０，１３４，１５２，１７０，１８４，２０８）が、放置状態にあるとき膨張し、圧縮した後その形状に復帰して前記パネル（５０，９４，１０２，１０８，１３２，１５４，１８２，２００）が放置状態でその平常な膨張形態となるように弾性を有してなることと、
前記複数のデバイダ（５２，５２′，１０５，１１０，１３４，１５２，１７０，１８４，２０８）が半剛性であるが折りたたみ可能な材料の独立したシートから作られていることと、
からなり、前記折りたたみ可能な材料が複数のグラスファイバを樹脂で一体に固めたファイバグラス製であり、前記各折り皺線（７４，１０６，１２８，１４０，１４２，１５６，１６０，１７２，１７４，２１６）が弾性を有し且つ前記グラスファイバを損傷することなく形成された折り線からなることを特徴とする構造パネル。
【請求項２】  前記各デバイダ（５２，５２′，１０５，１１０，１３４，１５２，１７０，１８４，２０８）は前記折り皺線（７４，１０６，１２８，１４０，１４２，１５６，１６０，１７２，１７４，２１６）を形成させた後にもその弾性率を保持していることを特徴とする請求項１に記載の構造パネル。
【請求項３】  前記複数のデバイダ（５２，５２′，１０５，１１０，１３４，１５２，１７０，１８４，２０８）は互いに平行していることを特徴とする請求項１又は２に記載の構造パネル。
【請求項４】  前記デバイダ（５２，５２′，１０５，１１０，１３４，１５２，１７０，１８４，２０８）の前記複数の独立したシートは折りたたまれて前記側方仕切り板（９８，１０４，１２０，１２２，１９２，２１４）及び長手方向に伸長する複数の周縁部分（７６，１４４，１４６，１６２，１６４，１７６，１７８，１８８，１９０）を画成し、前記複数の周縁部分は前記外側シート（５４，５４′，１１６，1３６，１６８，２０４）及び前記コネクタ手段（５６，５６′，９６，１３０，１３８，１６６，２０６）に固定可能でありさらに前記複数の側方仕切り板は前記複数の周縁部分に挟まれて伸長し、押しつぶし可能であることを特徴とする請求項１乃至３のいずれか一に記載の構造パネル。
【請求項５】  前記複数の側方仕切り板（９８，１０４，１２０，１２２，１９２，２１４）はほぼ細長くて平坦であり、前記複数の折り皺線（７４，１０６，１２８，１４０，１４２，１５６，１６０，１７２，１７４，２１６）は前記周縁部分（７６，１４４，１４６，１６２，１６４，１７６，１７８，１８８，１９０）と前記側方仕切り板との間にあって構造パネルが圧縮状態にあるときには前記側方仕切り板を前記周縁部分と事実上面対面の関係に折りたたまれるようにしてなることを特徴とする請求項４に記載の構造パネル。
【請求項６】  前記複数の折り皺線（７４，１０６，１２８，１４０，１４２，１５６，１６０，１７２，１７４，２１６）が前記側方仕切り板（９８，１０４，１２０，１２２，１９２，２１４）の各々にも設けられて１対の仕切り板部分を画成することを特徴とする請求項５に記載の構造パネル。
【請求項７】  前記複数の周縁部分（７６，１４４，１４６，１６２，１６４，１７６，１７８，１８８，１９０）は前記外側シート（５４，５４′，１１６，１３６，１６８，２０４）に固定されていることを特徴とする請求項４乃至６のいずれか一に記載の構造パネル。
【請求項８】  前記複数の周縁部分（７６，１４４，１４６，１６２，１６４，１７６，１７８，１８８，１９０）も前記コネクタ手段に固定されていることを特徴とする請求項７に記載の構造パネル。
【請求項９】  前記複数のデバイダからなる前記独立したシートの前記材料は複数のグラスファイバを樹脂で固めた炭素繊維製であることを特徴とする請求項１乃至８のいずれか一に記載の構造パネル。
【請求項１０】  前記デバイダ（５２，５２′，１０５，１１０，１３４，１５２，１７０，１８４，２０８）の前記樹脂が熱硬化性樹脂、熱可塑性樹脂、熱硬化性樹脂と熱可塑性樹脂との組合せのいずれかであることを特徴とする請求項１乃至９のいずれか一に記載の構造パネル。
【請求項１１】  前記外側シート（５４，５４′，１１６，１３６，１６８，２０４）が複数のグラスファイバを樹脂で固めたファイバグラス製であることを特徴とする請求項１乃至１０のいずれか一に記載の構造パネル。
【請求項１２】  前記外側シート（５４，５４′，１１６，１３６，１６８，２０４）の前記樹脂が熱硬化性樹脂、熱可塑性樹脂、熱硬化性樹脂と熱可塑性樹脂との組合せのいずれかであることを特徴とする請求項１１に記載の構造パネル。
【請求項１３】  前記コネクタ手段（５６，５６′，９６，１３０，１３８，１６６，２０６）が複数のグラスファイバを樹脂で固めたファイバグラス製であることを特徴とする請求項１乃至１２のいずれか一に記載の構造パネル。
【請求項１４】  前記コネクタ手段（５６，５６′，９６，１３０，１３８，１６６，２０６）の前記樹脂が熱硬化性樹脂、熱可塑性樹脂、熱硬化性樹脂と熱可塑性樹脂との組合せのいずれかであることを特徴とする請求項１３に記載の構造パネル。
【請求項１５】  前記コネクタ手段（５６，５６′，９６，１３０，１３８，１６６，２０６）は前記デバイダ（５２，５２′，１０５，１１０，１３４，１５２，１７４，１８０，２０８）に連結された複数の柔軟であるが非可伸性ファイバを含んでいることを特徴とする請求項１乃至１４のいずれか一に記載の構造パネル。
【請求項１６】  前記複数の仕切り板部分は同一寸法であることを特徴とする請求項６に記載の構造パネル。
【請求項１７】  前記複数の仕切り板部分は寸法が異なることを特徴とする請求項６に記載の構造パネル。
【請求項１８】  前記外側シート（５４，５４′，１１６，１３６，１６８，２０４）は前記デバイダ（５２，５２′，１０５，１１０，１３４，１５２，１７０，１８４，２０８）と同一材料で作られていることを特徴とする請求項１乃至１７のいずかれ一に記載の構造パネル。
【請求項１９】  前記コネクタ手段（５６，５６′，９６，１３０，１３８，１６６，２０６）は前記デバイダ（５２，５２′，１０５，１１０，１３４，１５２，１７０，１８４，２０８）と同一材料で作られていることを特徴とする請求項１８に記載の構造パネル。
【請求項２０】  前記デバイダ（５２，５２′，１０５，１１０，２０８）の各々は上面及び下面がそれぞれほぼ筒状であり、前記下面が前記外側シートに、前記上面が前記コネクタ手段に固定され、前記上面及び下面は外向きに折りたたまれた複数の折り皺線で前記側方仕切り板に連結されていることを特徴とする請求項１乃至１９のいずれか一に記載の構造パネル。
【請求項２１】  隣り合ったデバイダ（５２，５２′，１０５，１１０，２０８）の前記下面が前記外側シートに互いに直線隣接して固定されていることを特徴とする請求項２０に記載の構造パネル。
【請求項２２】  前記隣接するデバイダ（５２，５２′，１０５，１１０，２０８）の前記上面が前記コネクタに互いに離隔して固定されていることを特徴とする請求項２０または請求項２１に記載の構造パネル。
【請求項２３】  前記デバイダ（５２，５２′，１０５，１１０，２０８）の各々の前記側方仕切り板が、各々内向きに折りたたまれた折り皺線を有する１対の側方仕切り板からなることを特徴とする請求項１乃至２２のいずれか一に記載の構造パネル。
【請求項２４】  前記各側方仕切り板がその内向きに折りたたまれた折り皺線とその内向きに折りたたまれた折り皺線の下方の下方部分を有することを特徴とする請求項２３に記載の構造パネル。
【請求項２５】  前記外側（５４，５４′，１１６，１３６，１６８，２０４）の外面に固定された装飾用シートを更に含むことを特徴とする請求項１乃至２４のいずれか一に記載の構造パネル。